(57)【要約】【課題】不正な再使用を防止するとともに、リユースを簡便に行う。【解決手段】外面に、使用後に撮影済み写真フイルムを収納したカートリッジを取り出すための蓋１２を設ける。シャッタ羽根２７の開閉路に出入り自在にストッパ３５を設ける。ストッパ３５を、シャッタ羽根２７の開閉路に突出する方向にバネ３６により付勢する。保持部材３７の一端４４でバネ３６の付勢に抗してストッパ３５を突出しないように押さえる。保持部材３７の他端４３に、蓋１２に設けた連結部材４４を係合する。蓋１２の開放に連動して連結部材４４を回転させてストッパ３５をシャッタ羽根２７の開閉路に突出させる。ストッパ３５を押し込んでから連結部材３７を元の位置に戻してリユースする。【選択図】　　　　図３
2004069852.tif 000002
【特許請求の範囲】
【請求項１】
撮影レンズの光軸を横切るように開閉されるシャッタ羽根を内蔵するとともに、予め工場でフイルムカートリッジが装填されるユニット本体を備えるとともに、使用後に撮影済みの写真フイルムを収納したカートリッジを取り出すために、前記ユニット本体の外面に設けた蓋を開放するように構成されたレンズ付きフイルムユニットにおいて、
前記シャッタ羽根の開閉を阻止する阻止位置と前記開閉を許容する許容位置との間で移動自在に設けたストッパを前記蓋の開放に連動して前記許容位置から阻止位置に移動するシャッタ開閉阻止手段を備えたことを特徴とするレンズ付きフイルムユニット。
【請求項２】
前記シャッタ開閉阻止手段は、前記ストッパを阻止位置に向けて付勢する付勢部材と、前記ストッパを許容位置に保つ保持位置と前記ストッパの阻止位置への移動を許容する退避位置との間で移動自在に設けられた保持部材と、前記蓋を開放することに連動して前記保持部材を保持位置から退避位置に移動させる連結部材とを備えていることを特徴とする請求項１記載のレンズ付きフイルムユニット。
【発明の詳細な説明】
【０００１】
【発明の属する技術分野】
本発明は、ユニット本体の不正な再使用を防止するために工夫を施したレンズ付きフイルムユニットに関するものである。
【０００２】
【従来の技術】
写真フイルムカートリッジを予め工場で装填したレンズ付きフイルムユニットが知られている。レンズ付きフイルムユニットは、写真フイルムカートリッジを収納する本体基部に撮影レンズやシャッタ機構などの露光付与機構を取り付け、それらの周りを外カバーで覆った形態となっている。撮影済みの写真フイルムを収納したカートリッジは、外カバーに設けた蓋を開放することで簡単に取り出すことができる。
【０００３】
環境保全や産業廃棄物の削減を図るために、使用済みの工業製品を回収して循環生産する資源循環生産が行われている。この資源循環生産には、部品を元の原料に戻して再び使用するリサイクルと、部品を検査した後にそのまま新しい工業製品に用いるリユースとがある。レンズ付きフイルムユニットについては、使用後に開放される蓋が設けられた外カバーをリサイクルし、撮影レンズやシャッタ機構などをリユースしている。そして、特開平５−１９４１９号公報に記載のレンズ付きフイルムユニットでは、リユース部品を増やすために、撮影レンズやシャッタ機構を露光ユニットとして写真フイルムカートリッジを収納する本体基部から分離した構造にしている。
【０００４】
ところが、最近、第三者が使用済みのレンズ付きフイルムユニットに新たなフイルムカートリッジを装填して販売したものが大量に市場に出回っている事情がある。このような不正にフイルムを詰め替えたものは、適性な品質検査を行わず、機能保証のないままに再利用している。このようなものが出回ると、新たに装填したフイルムに損傷を与える等の写真品質の劣化を招く可能性や、撮影機構の劣化による動作不良で、適正な撮影を行えなくなるおそれがある。
【０００５】
特開平１１−１４９１４１号公報には、使用後に蓋を開放することに連動してシャッタ機構の一部を壊すことでシャッタ機構を作動不良にして不正なフイルム詰め替えを防止するレンズ付きフイルムユニットが提案されている。
【０００６】
【発明が解決しようとする課題】
前述した公報記載のレンズ付きフイルムユニットでは、シャッタ機構の一部を壊すため、循環生産時に壊れたところを修理して再び部品として利用するリペアを行う必要があり、手間がかかる欠点があった。
【０００７】
本発明は上記事情を考慮してなされたもので、不正なフイルム詰め替えによる再販売を防ぐことができ、かつリユース部品として簡単に再使用することができるようにしたレンズ付きフイルムユニットを提供することを目的とする。
【０００８】
【課題を解決するための手段】
本発明は上記目的を達成するために、シャッタ羽根の開閉を阻止する阻止位置と前記開閉を許容する許容位置との間でストッパを移動自在に設け、カートリッジ取り出し操作となる蓋の開放に連動して前記ストッパを許容位置から阻止位置に移動するシャッタ開閉阻止手段を備えたものである。
【０００９】
ストッパでシャッタ羽根を阻止する手段としては、シャッタ羽根の開閉軌跡内に挿入する手段やシャッタ羽根に直接に係合してその開閉を阻止する手段が望ましい。そして、再セットして簡単にリユース部品として循環生産するために、ストッパを阻止位置に向けて付勢する付勢手段と、ストッパを許容位置に保つ保持位置と阻止位置への移動を許容する退避位置との間で移動自在に設けられた保持部材と、蓋を開放することに連動して保持部材を保持位置から退避位置に移動させる連結部材とを備えるのが、循環生産時に再セットすることができるから好適である。
【００１０】
【発明の実施の形態】
レンズ付きフイルムユニット１は、図１に示すように、予め工場で写真フイルムカートリッジ２が装填されるとともに簡単な撮影機構が組み込まれ、主にプラスチック成形品で構成されたユニット本体３と、この中央部に帯状に巻き付けて覆うラベル４とから構成されている。ユニット本体３には、前面にストロボ発光窓５、レリーズボタン６、カウンタ窓７、ファインダ窓８、撮影レンズ９、及びストロボ充電ボタン１０等を設けている。ユニット本体３の背面側には、撮影毎に回転操作される巻き上げノブ１１を露呈している。
【００１１】
ユニット本体３の底には、蓋１２が開閉自在に設けられている。蓋１２は、係脱自在な係止爪１３，１４による爪結合により閉じ位置に保たれており、該ユニット１を使用後に爪結合を解除して撮影済みの写真フイルムを収納したカートリッジ１５を取り出すために開放される。
【００１２】
ユニット本体３は、図２に示すように、本体基部１６、露光ユニット１７、ストロボユニット１８、前カバー１９、及び後カバー２０とから構成されている。本体基部１６の中央に設けたアパーチャー２１の両側には、カートリッジ室２２とフイルム室２３とが一体形成されており、このそれぞれに、写真フイルムカートリッジ２を構成するカートリッジ１５とこれから引き出してロール状にした未露光の写真フイルム２４とを収納している。巻き上げノブ１１はカートリッジ室２２の上部に回動自在に組み付けられ、その軸がカートリッジ１５のスプールに係合している。
【００１３】
露光ユニット１７は、撮影レンズ９、シャッタ機構、フイルム巻き止め機構、フイルムカウンタ機構、シャッタ開閉阻止手段、フイルムカウンタ機構、シャッタチャージ機構、及びファインダ光学系等を備えており、本体基部１６のアパーチャー２１の前面に着脱自在に組み付けられている。露光ユニット１７及びストロボユニット１８は、本体基部１６の前面に着脱自在に組み付けられる。
【００１４】
前カバー１９には、一部切り欠いて弾性自在にしたレリーズボタン６やストロボ充電ボタン１０とが一体に形成されている。後カバー２０は、カートリッジ室２２及びフイルム室２３を覆うように本体基部１６の背面側に組み付けている。この後カバー２０には、プルトップ式に開閉することができるように、一部の厚みを薄くしたヒンジを中心に開閉自在に設けた蓋１２，２６が一体に形成されている。これら蓋１２，２６で、カートリッジ室２２とフイルム室２３のそれぞれの底部開口を覆っている。このうち蓋１２を下方に開放して、撮影済みの写真フイルム２４を収納したカートリッジ１５が取り出される。
【００１５】
前カバー１９及び後カバー２０は、本体基部１６，露光ユニット１７，及びストロボユニット１８を前後から覆う外カバーを構成しており、これらは本体基部１６に着脱自在に取り付けられる。蓋１２には、係止爪１３，１４が一体に設けられている。この係止爪１３，１４は、前カバー１９の内壁に係合して、閉じ位置に保持される。
【００１６】
シャッタ機構は、図３に示すように、シャッタ羽根２７と戻しバネ２８とで構成されている。シャッタ羽根２７は、露光ユニット１７の前面に配されるシャッタ基板２９に軸着されており、撮影光軸９ａを横切るように開閉してシャッタ基板２９に設けたシャッタ開口３０を開閉する。戻しバネ２８は、一端がシャッタ基板２９に、他端がシャッタ羽根２７に係止され、シャッタ羽根２７を閉じ位置に向けて付勢する。シャッタ基板２９には、シャッタ開口３０を挟む一端側にシャッタ羽根２７を閉じ位置に保つシャッタ用ストッパ３１と、他端側にシャッタ羽根２７がシャッタ開口３０を完全に開く開き位置に移動するためのスペース確保のために一段凹んで形成した凹面３２とが形成されている。
【００１７】
シャッタ羽根２７は、前面に取り付けられるシャッタカバー３３で覆われる。シャッタカバー３３にはレンズホルダ３４が設けられており、レンズホルダ３４には撮影レンズ９が保持されている。
【００１８】
また、露光ユニット１７には、シャッタ開閉阻止手段が設けられている。シャッタ開閉阻止手段は、ストッパ３５、バネ３６、及び、保持部材３７等で構成されている。ストッパ３５は、凹面３２に形成した開口３８に対して背後から出入り自在に設けられており、先端が開口３８から突出してシャッタ羽根２７の開閉路に入り込んでシャッタ羽根２７の開閉を阻止する阻止位置と、先端が開口３８の内部に退避してシャッタ羽根２７の開閉を許容する許容位置との間で移動自在となっており、バネ３６により阻止位置に向けて付勢されている。
【００１９】
保持部材３７は、ストッパ３５を許容位置に保つ保持位置と蓋１２の開放に連動して移動する退避位置との間で移動する部材であり、軸着部４０と、その軸着部４０を挟んだ一方側に配される一端４１と、他方側に配される他端４２とを持っている。軸着部４０は、露光ユニット１７に回転自在に取り付けられる。一端４１には、開口３８を覆う遮光部が形成され、前記凹面３２のスペースで移動するために厚みが薄くなっている。他端４２には、突起４３が形成されている。他端４２はシャッタカバー３３からカートリッジ室２２の下方に向けて突出しており、突起４３は蓋１２に設けた連結部材４４に係脱自在に係合している。連結部材４４は、蓋１２の内面に一体形成されている。
【００２０】
連結部材４４は凹部４５及び凹部４５を支持する支持部４６とで構成されている。凹部４５は、突起４３を保持部材３７の回転方向のうちの両方向から挟み込んで蓋１２が閉じ位置のときに保持部材３７を保持位置に保つ。支持部４６は、蓋１２を閉じ位置に移動したときに凹部４５に突起４３が入り込むように弾性変形自在に形成されている。突起４３が凹部４５に入り込むときには、突起４３が凹部４５を押して保持部材３７が保持位置に向けて付勢される。このため、保持部材３７が保持位置を超えて回転しないように保持位置で受け止める止め部材４８がシャッタ基板２９の凹面３２に設けられている。
【００２１】
上記構成の作用を説明する。レンズ付きフイルムユニット１の初期状態は、カートリッジ室２２の底にある蓋１２が閉じられており、突起４３に凹部４５が係合して保持部材３７が保持位置の状態となっている。保持部材３７が保持位置のときには、一端４１が開口３８を塞ぎ、バネ３６の付勢によりストッパ３５の先端が開口３８から突出しようとするのを防いでいる。このため、シャッタ羽根２７は、開閉が許容されている。
【００２２】
巻き上げノブ１１をフイルム巻き上げ方向に回転操作すると、写真フイルム２４がフイルム室２３からカートリッジ室２２に向けて移送される。この移送力は、スプロケットにより回転力に変換されてからフイルム巻き止め機構、シャッタチャージ機構、及びフイルムカウンタ機構などに伝達される。１コマ分の長さだけフイルム移送がなされると、フイルム巻き止め機構が作動してスプロケットと巻き上げノブ１１との回転を阻止する。この間に、シャッタチャージ機構がシャッタチャージを行う。
【００２３】
レリーズボタン６を押圧すると、この押圧力がシャッタ機構に伝達され、シャッタチャージ機構のチャージ力を利用してシャッタ機構が作動する。本実施形態のシャッタ機構は、シャッタ羽根２７を蹴飛ばすタイプのメカ機構であり、図３に示すようにバネ５０の力でシャッタ駆動レバー５１をチャージ位置から走行完了位置に向けて瞬時に回転させてその先端５２でシャッタ羽根２７の一端５４が蹴飛ばされる。これにより、シャッタ羽根２７は、軸着部５５を中心に時計方向に回転して開閉部５６がシャッタ開口３０を開く開き位置となる。開放後戻しバネ２８の付勢により反時計方向に引き戻されて閉じ位置となってシャッタ開口３０を塞ぐ。これにより、アパーチャー２１にセットされた写真フイルム２４のコマに露光が付与される。
【００２４】
このようにしてフイルム巻き上げとシャッタレリーズとを繰り返して撮影を行う。最後の撮影コマに対して撮影を行った後には、フイルムカウンタ機構の枚数表示板が残りの撮影枚数がない旨の表示位置に回転する。この回転によりフイルム巻き止め機構の作動が阻止され、その後のフイルム巻き上げ操作により全ての写真フイルム２４がカートリッジ１５に収納される。
【００２５】
使用済みのレンズ付きフイルムユニット１は現像所に提出される。現像所では、底に露呈している蓋１２を開放する。蓋１２は、前カバー１９との爪結合を解除することで、該ユニット１の背面側の薄肉部をヒンジとして前面側が該ユニット１の下方に向けて開放される。この開放により連結部材４４は、蓋１２と一緒に移動して凹部４５が突起４３を下方に向けて引っ張る。これにより保持部材３７が反時計方向に回転して一端４１が開口３８を露呈する。
【００２６】
開口３８が露呈されると、バネ３６の付勢によりストッパ３５が阻止位置に移動して先端がシャッタ羽根２７の開閉路に突出する。このとき、シャッタ羽根２７が閉じ位置にあるから、ストッパ３５がシャッタ羽根２７に衝突することはない。これにより、その後のシャッタ機構が作動しなくなる。
【００２７】
保持部材３７は、蓋１２が全開に達するまでに退避位置に移動する。蓋１２が全開に達する前に、突起４３が凹部４５から外れる。これにより、蓋１２が全開に開く。その後は、保持部材３７がフリーとなるが、ストッパ３５の先端が保持部材３７の一端４１に当たって、保持部材３７の保持位置への移動を阻止すから問題はない。
【００２８】
蓋１２を完全に開放してからカートリッジ１５をスプール軸方向に沿って取り出す。空になったレンズ付きフイルムユニット１は、蓋１２を閉めた状態で保管する。蓋１２を閉めるときには、凹部４５が突起４３に当たって保持部材３７を保持位置に向けて付勢する。しかし、保持部材３７は、一端４１がストッパ３５に当接して保持位置への回転が阻止されている。このため、連結部材４４の支持部４６が弾性変形して突起４３を凹部４５に進入される。
【００２９】
さらに、保持部材３７が退避位置にあるため突起４３が保持位置のときよりも下方に下がった位置にある。このため、突起４３はさらに支持部４６を弾性変形させて凹部４５を通り越して凹部４５を構成する上・下壁のうちの下壁を乗り越えた位置に達する。これにより、カートリッジ１５を取り出し後に蓋１２を閉めても露光ユニット１７を壊すことはない。また、蓋１２を閉めた後にも保持部材３７の回転が退避位置に保持されるから、内部で動いて露光ユニット１７を破損並びに損傷させることもない。
【００３０】
現像所では、空のレンズ付きフイルムユニット１を一定量貯めてから循環生産工場に送る。循環生産工場では、回収した該ユニット１を分解してリユース部品とリサイクル部品に分別する。露光ユニット１７は、リユース部品として検査工程に送られる。蓋１２を設けた後カバー２０は、リサイクル部品となっており、溶解して樹脂ペレットにされる。
【００３１】
露光ユニット１７は検査される。その後、治具を使ってストッパ３５を許容位置に押し込み、その後に保持部材３７を保持位置に回転させる。こうすることで、一端４１にストッパ３５を介してバネ３６の付勢力がかかり、この力の方向が保持部材３７の軸着部４０の軸方向となっているため、保持部材３７が保持位置に保たれる。その後は、露光ユニット１７を単体で取り扱っても保持部材３７が保持位置から移動することはない。シャッタ開閉阻止手段を再セットした露光ユニットは、組立ラインに送られ、レンズ付きフイルムユニットが循環生産される。組立のときには、未露光の写真フイルムカートリッジ２を装填してから、蓋１２が閉められる。このとき、保持部材３７が時計方向に向けて付勢されるが、保持位置からその方向に向けた回転を止め部材４８が阻止するから、支持部４６が弾性変形して突起４３が凹部４５にスムーズに係合する。これにより、シャッタ開閉阻止手段の再セットが完了する。
【００３２】
上記実施形態では、カートリッジ１５を取り出す蓋１２をプルトップ式としているが、スライド式としてもよい。また、蓋１２を該ユニット１の底に設けているが、カートリッジ室２２の背面の一部を覆う位置に設けても良い。
【００３３】
また、上記実施形態では、保持部材３７を阻止位置と退避位置との間で回転させているが、スライド式に構成してもよい。また、シャッタ開閉阻止手段を構成するうちのストッパ３５の出入りを蓋１２の開閉に連動させる連動機構として、保持部材３７と連結部材４４とで構成しているが、本発明はこれに限らず、周知の機構を使用してもよい。また、個数も部品点数も２個に限らず、３個以上で構成してもよい。そして、保持部材３７と蓋１２との連結を係脱自在な構成にし、保持部材３７を露光ユニット１７に設けて再セット可能にして露光ユニット１７をリユース部品として使用することができればよい。
【００３４】
また、ストッパ３５としては、シャッタ羽根２７の開閉路に突出してシャッタ羽根２７の開閉を阻止する構成としているが、シャッタ羽根２７のうちのシャッタ開口３０を覆う開閉部５６を除く範囲に穴を設け、シャッタ羽根２７が閉じ位置のときに前記穴に入り込んでシャッタ羽根２７の開閉を確実に阻止する構成にしてもよい。
【００３５】
【発明の効果】
以上説明したように、本発明のレンズ付きフイルムユニットによれば、蓋を開放するとシャッタ羽根の開閉が禁止されるため、不正なフイルム詰め替えがなされても撮影が行えなくなる。また、リユースする場合には、ストッパを許容位置に戻せば再セットでき、よって循環生産も行うことができる。
【図面の簡単な説明】
【図１】レンズ付きフイルムユニットの外観を示す斜視図である。
【図２】ユニット本体を示す分解斜視部である。
【図３】露光ユニットを示す分解斜視図である。
【符号の説明】
１　レンズ付きフイルムユニット
３　ユニット本体
９　撮影レンズ
１２　蓋
１５　カートリッジ
１７　露光ユニット
２２　カートリッジ室
２７　シャッタ羽根
３５　ストッパ
３６　バネ
３７　保持部材
４４　連結部材
【図１】
2004069852.tif 000003
【図２】
2004069852.tif 000004
【図３】
2004069852.tif 000005